(57)【要約】【課題】本発明は、ちりとりによってゴミと、砂、小石、水等がちりとり上で分別でき、ゴミの量が多い場合でも容易に分別できる機能を合わせ持つちりとりに関するものであって、すべての使用場面、ゴミの状況に対応するちりとりを提供する。【解決手段】無数の穴を開けたゴミ受け１に握り手２をつけた網ちりとりＡと、穴の開いていないゴミ受け３に握り手４をつけた普通ちりとりＢからなるちりとりの、網ちりとりＡの握り手２と、普通ちりとりＢの握り手４を嵌合できるようにしたため、普通ちりとりＢの上に網ちりとりＡを重合させる使い方と、普通ちりとりＢの上に表裏逆にさせた網ちりとりＡを重合させる使い方ができるようにした。また、普通ちりとりＢの握り手４の構造は、ゴミ受けの端部に取り付けた第１の握り手部と第１の握り手部の端部に取り付けた第２の握り手部からなるちりとりを考案した。【選択図】図１
2007160059.tif 000002
【特許請求の範囲】
【請求項１】
無数の穴を開けたゴミ受けに握り手をつけた網ちりとりと、穴の開いていないゴミ受けに握り手をつけた普通ちりとりとからなるちりとりであって、網ちりとりの握り手と普通ちりとりの握り手は嵌合できるようになっており、普通ちりとりの上に網ちりとりを重合させる第１の使い方と、普通ちりとりの上に表裏逆にさせた網ちりとりを重合させる第２の使い方ができるように構成したことを特徴とするちりとり。
【請求項２】
普通ちりとりの握り手の構造は、ゴミ受けの端部に取り付けた第１の握り手部と、第１の握り手部の端部に取り付けた第２の握り手部からなる請求項１に記載したちりとり。
【発明の詳細な説明】
【技術分野】
【０００１】  本発明は、ちりとりによってゴミと、砂、小石、水等がちりとり上で分別でき、ゴミの量が多い場合でも容易に分別できる機能を合わせ持つちりとりに関するものである。
【背景技術】
【０００２】  従来、普通ちりとりに網状ちりとりを後方から挿入させたものや、普通ちりとりの上に網状ちりとりを内置装着させて使用するものがあった。例えば、実開平６−３８８５６号公報（特許文献１）の図４や、実開平６−３６５６６号公報（特許文献２）の図１に記載されている。また、普通ちりとりの上部に網状ちりとりをバネ等で固定し、柄をにぎることにより、普通ちりとりと網ちりとりが支点を介して開くものもあった。例えば、実開昭６０−２４６３号公報（特許文献３）の図１や、実開昭５９−９３３７４号公報（特許文献４）の図１に記載されている。
【特許文献１】実開平６−３８８５６号公報
【特許文献２】実開平６−３６５６６号公報
【特許文献３】実開昭６０−２４６３号公報
【特許文献４】実開昭５９−９３３７４号公報
【発明の開示】
【発明が解決しようとする課題】
【０００３】  特許文献１，２のように後方から挿入したり、内置装着したものは、砂等の分別後の実際のゴミ処理及び砂等の処理をするときに、挿入した網ちりとりを引き抜いたり、設置したちりとりをはずすときなど、誤ってせっかく集めたゴミを下にこぼしてしまったり、分離するのに手間のかかるものであった。特に後方から挿入したものは、網ちりとりと普通ちりとりに分かれてはいるものの、落ち葉や動物の毛などの軽くてかさのあるゴミ等を掃きいれるとすぐにあふれてしまったり、風が強い日は、ゴミが飛んでしまったりと、量やかさのあるゴミをとるには不向きであった。また、特許文献３，４のようにバネ等で固定したものは、固定されているため、個別に分離して利用できず、用途にあった利用ができなかった。そして両者共ちりとりの容量以上のゴミはあふれてしまうため、大容量のゴミは処理できなかった。
【課題を解決するための手段】
【０００４】  本発明はこれらの問題を解決するためになされたものであって、無数の穴を開けたゴミ受けに握り手をつけた網ちりとりと、穴の開いていないゴミ受けに握り手をつけた普通ちりとりとからなるちりとりであって、網ちりとりの握り手と普通ちりとりの握り手は嵌合できるようになっており、普通ちりとりの上に網ちりとりを重合させゴミは網ちりとりに、砂、小石、水等は普通ちりとりに分別させる第１の使い方と、普通ちりとりの上に表裏逆にさせた網ちりとりを重合させ普通ちりとりにゴミ、砂、小石、水等を掃きいれる第２の使い方ができるように構成した。また、普通ちりとりの握り手の構造は、ゴミ受け部の端部に取り付けた第１の握り手部と第１の握り手部の端部に取り付けた第２の握り手部からなる構成にした。
【発明の効果】
【０００５】  ちりとりを網ちりとりと普通ちりとりに分けることにより、様々なバリエーションの使用方法が生み出された。
まず第１の使い方によって普通ちりとりの上に網ちりとりを重合させてゴミを掃きいれると、その時点でゴミは網ちりとりに、砂、小石、水等は網ちりとりの網を通過し普通ちりとりにたまるため自然にゴミと、砂、小石、水等が分別される。更に、握り手の持ち方を変えるだけで支点を介して網ちりとりと普通ちりとりが上下に開くためちりとりに掃きいれられている分別済のゴミと砂、小石、水等は、自分で処理したいところで別々に処分できるようになった。【０００６】  第２の使い方によって網ちりとりを表裏逆にして、下段の普通ちりとりに重合した場合でも握り手を持ち替えるだけで支点を介して網ちりとりと普通ちりとりが上下に開閉するようになったため、ゴミをほうきなしですくい取ったり、はさみ取ったりできる。また、一度に大容量のゴミを掃きいれても、網ちりとりがフタの役目をし、ゴミがこぼれ落ちる事も風で飛んでいったりすることもなくなった。
この使用方法のゴミと砂、小石、水等の分別についても簡単で、握り手の握り方を替えて普通ちりとりと網ちりとりを重合させた状態で振るとゴミと一緒に掃きいれていた砂、小石、水等が網ちりとりの網面から落ちるのである。
【発明の実施するための最良の形態】
【０００７】  更にこのちりとりは、網ちりとりと普通ちりとりの握り手が嵌合できるようにしたため、後方から挿入した網ちりとりの出し入れや、内置装着した網ちりとりの取り外しの手間がなくなり、容易に網ちりとりと普通ちりとりの分離ができるようになった。したがってゴミだけを掃きいれたいときは、網ちりとりだけを使用することができる。
【０００８】  本発明のちりとりを図面によって説明すると、本発明ちりとりは、図１のように無数の穴を開けたゴミ受け１に凹形状の握り手２を設けた網ちりとりＡとし、網のないゴミ受け３に第１の握り手部４−１及び第２の握り手部４−２からなる凹形状の握り手４を設けた普通ちりとりＢとし、網ちりとりＡと普通ちりとりＢは図２や図４に図示しているように嵌合できる。また、普通ちりとりの握り手４の第１の握り手部４−１と第２の握り手部４−２は凹形状になっているため網ちりとりの握り手２が普通ちりとりの握り手４の第１の握り手部４−１と第２の握り手部４−２の凹の中に嵌合する。これは、網
2007160059.tif 000003
１の握り手部４−１と第２の握り手部４−２の凹の中に嵌合できるようになっている。また網ちりとりＡのゴミ受け１の両側に止め縁５、５を設け普通ちりとりＢのゴミ受け３の両側に縁６，６を設けている。
尚、握り手４の第１の握り手部４−１と第２の握り手部４−２の境目に支点７がある。
【０００９】  図２、３によって記載されている第１の使い方について説明すると、図２のように網ちりとりの下に普通ちりとりを重合すると、自然に握り手２は握り手４の第１の握り手部４−１の凹の中に入るようになる。このとき、止め縁５が縁６に引っ掛かってそれ以上沈み込まないように構成されている。このちりとりを使えば、ゴミを掃きいれると、上段、つまり網ちりとりにはゴミがたまり下段、つまり普通ちりとりには、上段の網ちりとりの網から通過して落ちた砂、小石、水等がたまるしくみになっている。とったゴミと分別された砂、小石、水等の処理については、握り手４の第１の握り手部４−１の延長にある斜め下方に延びた第２の握り手部４−２を握り手２と嵌合させるように握ることにより、図３のように上段の網ちりとりと下段の普通ちりとりが支点７を介して上下に開くため上段の網ちりとりに集積されたゴミと普通ちりとりに集積された砂、小石、水等をそれぞれ別の場所に処理することができる。
【００１０】  次に図４，５，６によって記載されている第２の使い方の説明をする。図４では普通ちりとりの上に表裏逆にした網ちりとりを重合させている図であるが、これは普通ちりとりと網ちりとりの重合部分である普通ちりとりの縁６に網ちりとりの止め縁５が重なるため上下のちりとりがすきまなく重合され鳥のくちばしのような形になっている。そ
2007160059.tif 000004
凹の中に入っている。
【００１１】  また、握り手４の第１の握り手部４−１の延長にある斜め下方に延びた第２の握り手
2007160059.tif 000005
とりと普通ちりとりが支点７を介して（鳥のくちばしのように）上下に開き、握り手２と握り手４の第１の握り手部４−１を嵌合するように握り替えると上下に開いていた網ちりとりと普通ちりとりが閉じるようになっている。
【００１２】  このため落ち葉や、動物の毛など軽くてかさのあるゴミ等を掃きいれてもあふれ落ちることもなく、風が強い日にゴミが飛んでしまうこともなくなり大容量のゴミを処理できるしくみになった。鳥のくちばしのような形になったちりとりは、開閉自在になったため、掃き集められたゴミをショベルのようにすくい取ったり或いは、つかみ取ったりすることができるのである。
【００１３】  次は、図５でつかみ取ったりすくい取ったりしたゴミを砂、小石、水等に分別する必要がある場合は、図６のように口を閉じて網ちりとり面を下向きに揺さぶれば砂、小石、水等が落ちてくるので、落としたい場所に、砂、小石、水等を振り落とすことができる。
【００１４】  また、網ちりとり普通ちりとり共、個別に使用できるため、網ちりとりは土の上の落ち葉やゴミ等を掃きいれてもその時点で土は網ちりとりの網を通過し土の上に落ちるため、ゴミだけを網ちりとりに掃きいれることができる。
また、支点７については握り手２と握り手４が着脱自在で、ある程度しっかりした形状であればどのような構成でもよい。
本発明は、以上の構成よりなる分別ちりとりである。
【図面の簡単な説明】
【００１５】
【図１】本発明のちりとりの全体を構成した図面
【図２】本発明のちりとりの第１の使い方を説明した図面
【図３】本発明のちりとりの第１の使い方の操作方法を説明した図面
【図４】本発明のちりとりの第２の使い方を説明した図面
【図５】本発明のちりとりの第２の使い方の操作方法によるゴミを掃きいれた状態を説明した図面
【図６】本発明のちりとりの第２の使い方の操作方法によるゴミと砂、小石、水等を分別する作業を説明した図面
【符号の説明】
【００１６】Ａ        網ちりとり
Ｂ        普通ちりとり
１        無数の穴が開いたゴミ受け
２        凹形状の握り手
３        穴の開いていないゴミ受け
４        凹形状の握り手
４−１    凹形状の第１の握り手部
４−２    斜め下方に延びた第２の握り手部
５        止め縁
６        縁
７        支点
【図１】
2007160059.tif 000006
【図２】
2007160059.tif 000007
【図３】
2007160059.tif 000008
【図４】
2007160059.tif 000009
【図５】
2007160059.tif 000010
【図６】
2007160059.tif 000011